(57)【要約】【課題】窒素吸着剤を利用した酸素富化装置によって室内空気の酸素富化を行う空気調和装置において、窒素吸着剤の性能低下を防ぐことにある。【解決手段】空気調和装置１は、加湿ユニット５と、圧力スイング吸着式の酸素富化ユニット６とを備えている。加湿ユニット５は、空気中の水分を吸着・除去して除湿空気を得ることが可能な加湿ロータ５１を有している。酸素富化ユニット６は、加湿ユニット５によって空気中の水分が除去された除湿空気から酸素富化空気を得て、酸素富化空気を室内に供給して、室内空気の酸素富化を行うことが可能である。【選択図】　　　図２
2004077094.tif 000002
【特許請求の範囲】
【請求項１】
空気中の水分を吸着・除去して除湿空気を得ることが可能な吸着剤（５１）を有する水分吸着装置（５）と、
前記水分吸着装置によって空気中の水分が除去された除湿空気から窒素を吸着・除去して酸素富化空気を得て、酸素富化空気を室内に供給して、室内空気の酸素富化を行うことが可能な窒素吸着剤（６２ａ、６３ａ）を利用した酸素富化装置（６）と、
を備えた空気調和装置（１）。
【請求項２】
前記酸素富化装置（６）は、加圧条件下で除湿空気中の窒素を吸着して酸素富化空気を得るとともに、減圧条件下で吸着された窒素を脱着・排気して再生することが可能な窒素吸着剤（６２ａ、６３ａ）を含む吸着器（６２、６３）と、除湿空気を加圧して前記吸着器に導入する圧縮機（６１）と、前記吸着器を吸着状態又は脱着状態に切り換え可能な切換機構（６４）とを有している、請求項１に記載の空気調和装置（１）。
【請求項３】
前記水分吸着装置（５）は、前記吸着剤（５１）に吸着された水分を空気中に脱着させることによって加湿空気を得て、加湿空気を室内に供給して、室内空気の加湿を行うことが可能な加湿装置である、請求項１又は２に記載の空気調和装置（１）。
【請求項４】
空気中の水分を吸着させて除湿空気を得ることが可能な吸着剤（５１）を有し、前記吸着剤に吸着された水分を空気中に脱着させて加湿空気を得ることが可能な加湿装置（５）と、
前記加湿装置によって得られた加湿空気を室内に供給する加湿空気供給流路（８）と、
前記加湿装置によって得られた除湿空気から窒素を吸着・除去して酸素富化空気を得ることが可能な窒素吸着剤（６２ａ、６３ａ）を有する酸素富化装置（６）と、
前記酸素富化装置によって得られた酸素富化空気を室内に供給するために前記加湿空気供給流路に接続された酸素富化空気供給流路（６５）と、
を備えた空気調和装置（１）。
【発明の詳細な説明】
【０００１】
【発明の属する技術分野】
本発明は、空気調和装置、特に、室内空気の酸素富化を行うための酸素富化装置を備えた空気調和装置に関する。
【０００２】
【従来の技術】
従来、特開平６−３４１６６７号公報に示されるように、室内空気を酸素富化することが可能な圧力スイング吸着式の酸素富化装置を備えた空気調和装置がある。このような空気調和装置は、室外ユニットと、室内ユニットと、これらのユニット間を接続するための冷媒配管とを備えており、主として、室内の冷暖房を行っている。酸素富化装置は、室外に設けられており、室外空気を圧縮機によって加圧した後、窒素吸着剤を含む吸着器を通過させることによって室外空気中の窒素を吸着・除去して酸素富化空気を得て、室内に供給する装置である。これにより、この空気調和装置では、室内を冷暖房するとともに、冷暖房運転によって締め切られた室内を酸素富化することが可能である。
【０００３】
【発明が解決しようとする課題】
圧力スイング吸着式の酸素富化装置に使用される窒素吸着剤は、空気中の窒素だけでなく水分も吸着する性質を有している。このため、室外空気等の湿気を含む空気を酸素富化装置に通ずると、窒素吸着剤に水分が吸着してしまい、吸着性能が低下するという問題がある。
【０００４】
本発明の課題は、窒素吸着剤を利用した酸素富化装置によって室内空気の酸素富化を行う空気調和装置において、窒素吸着剤の性能低下を防ぐことにある。
【０００５】
【課題を解決するための手段】
請求項１に記載の空気調和装置は、水分吸着装置と、酸素富化装置とを備えている。水分吸着装置は、空気中の水分を吸着・除去して除湿空気を得ることが可能な吸着剤を有している。酸素富化装置は、水分吸着装置によって空気中の水分が除去された除湿空気から窒素を吸着・除去して酸素富化空気を得て、酸素富化空気を室内に供給して、室内空気の酸素富化を行うことが可能な窒素吸着剤を利用したものである。
【０００６】
この空気調和装置では、水分吸着装置によって空気中の水分を吸着・除去して除湿空気を得た後、この除湿空気を窒素吸着剤を利用した酸素富化装置に供給して酸素富化空気を得て、室内に供給するようにしている。
これにより、窒素吸着剤を利用した酸素富化装置への水分の持ち込み量を減少させることができるため、窒素吸着剤の水分吸着による性能低下を防ぐことができる。
【０００７】
請求項２に記載の空気調和装置は、請求項１において、酸素富化装置は、加圧条件下で除湿空気中の窒素を吸着して酸素富化空気を得るとともに、減圧条件下で吸着された窒素を脱着・排気して再生することが可能な窒素吸着剤を含む吸着器と、除湿空気を加圧して吸着器に導入する圧縮機と、前記吸着器を吸着状態又は脱着状態に切り換え可能な切換機構とを有している。
【０００８】
この空気調和装置では、水分吸着装置によって空気中の水分を吸着・除去して除湿空気を得た後、この除湿空気を酸素富化装置に供給して酸素富化空気を得て、室内に供給するようにしている。
これにより、酸素富化装置を構成する吸着器への水分の持ち込み量を減少させることができるため、窒素吸着剤の水分吸着による性能低下を防ぐことができる。
【０００９】
請求項３に記載の空気調和装置は、請求項１又は２において、水分吸着装置は、吸着剤に吸着された水分を空気中に脱着させることによって加湿空気を得て、加湿空気を室内に供給して、室内空気の加湿を行うことが可能な加湿装置である。
この空気調和装置では、水分吸着装置は、空気中の水分を吸着して除湿空気を得るとともに、吸着された水分を空気中に脱着させて加湿空気を得ることができる無給水の加湿装置であるため、加湿空気を得るための水分吸着によって得られる除湿空気を酸素富化装置に供給することが可能である。
【００１０】
これにより、加湿装置の水分吸着によって得られる除湿空気を有効利用するとともに、酸素富化装置の性能低下を防ぐことができる。
請求項４に記載の空気調和装置は、加湿装置と、加湿空気供給流路と、酸素富化装置と、酸素富化空気供給流路とを備えている。加湿装置は、空気中の水分を吸着させて除湿空気を得ることが可能な吸着剤を有しており、吸着剤に吸着された水分を空気中に脱着させて加湿空気を得ることが可能である。加湿空気供給流路は、加湿装置によって得られた加湿空気を室内に供給する。酸素富化装置は、加湿装置によって得られた除湿空気から窒素を吸着・除去して酸素富化空気を得ることが可能な窒素吸着剤を有している。酸素富化空気供給流路は、酸素富化装置によって得られた酸素富化空気を室内に供給するために加湿空気供給流路に接続されている。
【００１１】
この空気調和装置では、加湿装置によって得られた除湿空気を酸素富化装置に供給して酸素富化空気を得ている。そして、酸素富化空気は、加湿装置によって得られた加湿空気に混合された後、加湿空気供給流路を通じて室内に供給される。
これにより、窒素吸着剤の水分吸着による性能低下を防ぐとともに、適正な湿度の酸素富化空気を室内に供給することができる。また、酸素富化空気を室内に供給するための専用の配管が不要になる。
【００１２】
【発明の実施の形態】
以下、図面に基づいて、本発明の空気調和装置について説明する。
（１）空気調和装置の概略構成
図１は、本発明の一実施形態にかかる空気調和装置の外観図である。
この空気調和装置１は、室内の壁面などに取り付けられる室内ユニット２と、室外に設置される室外ユニット３とに分かれて構成されている。室外ユニット３は、室外熱交換器やプロペラファンなどを収納する室外冷媒ユニット４と、加湿ユニット５と、酸素富化ユニット６とを備えている。室内ユニット２内には室内熱交換器が収納され、室外ユニット３内には室外熱交換器が収納されている。そして、各熱交換器及びこれらの熱交換器を接続する冷媒配管７が、冷媒回路を構成している。また、室外ユニット３と室内ユニット２との間には、加湿ユニット５からの加湿空気等と酸素富化ユニット６からの酸素富化空気とを室内ユニット２側に供給するときに用いられる給気管８が設けられている。尚、本実施形態において、加湿ユニット５と酸素富化ユニット６とは、室外冷媒ユニット４の上部に配置されている。
【００１３】
（２）冷媒回路の構成
図２は、空気調和装置１の冷媒回路の構成図、加湿ユニットの構成図及び酸素富化ユニットの構成図である。以下、冷媒回路の構成について図２に基づいて説明する。
室内ユニット２には、室内熱交換器１１が設けられている。この室内熱交換器１１は、複数本のヘアピン形状の管を接続して構成される伝熱管と、伝熱管が挿通される複数のフィンとからなり、接触する空気との間で熱交換を行う。
【００１４】
また、室内ユニット２内には、クロスフローファン１２と、クロスフローファン１２を回転駆動する室内ファンモータ１３とが設けられている。クロスフローファン１２は、円筒形状であり、周面には多数の羽根が設けられており、回転軸と交わる方向に空気流を生成する。このクロスフローファン１２は、室内空気を室内ユニット２内に吸入させるとともに、室内熱交換器１１との間で熱交換を行った後の空気を室内に吹き出す。
【００１５】
室外冷媒ユニット４には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁２５とが設けられている。電動膨張弁２５は、フィルタ２６および液閉鎖弁２７を介して液側連絡配管３２に接続されており、この配管３２を介して室内熱交換器１１の一端に接続されている。また、四路切換弁２２は、ガス閉鎖弁２８を介してガス側連絡配管３１に接続されており、ガス側連絡配管３１を介して室内熱交換器１１の他端に接続されている。これらの配管３１、３２は、図１の冷媒配管７に相当する。
【００１６】
また、室外冷媒ユニット４内には、室外熱交換器２４での熱交換後の空気を外部に排出するためのプロペラファン２９が設けられている。このプロペラファン２９は、室外ファンモータ３０によって回転駆動される。
（３）加湿装置の構成
次に、加湿ユニット５の内部の構成について図２に基づいて説明する。
【００１７】
加湿ユニット５は、室外冷媒ユニット４の上部に位置する加湿ユニットケーシングを備えており、その内部に、吸湿ロータ５１、ヒータ組立体５３、加湿ファン５４、吸着ファン５５などが配置されている。
吸湿ロータ５１は、概ね円板形状を有するハニカム構造のセラミックロータであり、空気が容易に通過できる構造となっている。具体的には、平面視において円形を有するロータであり、水平面で切った断面において細かいハニカム（蜂の巣）状になっている。そして、これらの断面が多角形である吸湿ロータ５１の多数の筒部分を、空気が通過する。吸湿ロータ５１の主たる部分は、ゼオライト、シリカゲル、あるいはアルミナといった吸着剤を焼成したものである。このゼオライト等の吸着剤は、接触する空気中の水分を吸着し、加熱されることで吸着した水分を脱着する性質を有している。この吸湿ロータ５１は、ロータ駆動モータ５２によって回転することが可能である。
【００１８】
ヒータ組立体５３は、吸湿ロータ５１の略半分の部分５１ｂの一方の面を覆うように配置されている。ヒータ組立体５３は、外部から吸入された空気を加熱して吸湿ロータ５１側へ排出することが可能である。
加湿ファン５４は、吸湿ロータ５１の略半分の部分５１ｂの他方の面側であってヒータ組立体５３に対応する位置に配置されている。加湿ファン５４は、給気管８に接続されるように配置された遠心ファンである。加湿ファン５４は、吸湿ロータ５１の略半分の部分５１ｂを通過して得られる加湿空気を給気管８へ送出し、室内ユニット２に供給する。
【００１９】
吸着ファン５５は、吸着ファンモータ５６によって回転する遠心ファンであり、外部から給気した空気を吸湿ロータ５１に通すことができるように配置されている。吸着ファン５５は、吸湿ロータ５１の略半分の部分５１ａを通過する際に水分が吸着・除去されて得られる除湿空気を加湿ユニットケーシングの外部に排出する。このとき排出される除湿空気は、後述の酸素富化ユニット６の空気圧縮機６１に供給できるように接続されている。
【００２０】
（４）酸素富化ユニットの構成
次に、酸素富化ユニット６の内部の構成について図２に基づいて説明する。
酸素富化ユニット６は、室外冷媒ユニット４の上部であって、加湿ユニット５の側方に隣接して配置される酸素富化ユニットケーシングを備えており、その内部に、空気圧縮機６１、窒素吸着器６２、６３、吸着器切換機構６４、逆止弁６５、スナッバー６６、減圧弁６７などが配置された圧力スイング吸着式の酸素富化装置である。
【００２１】
空気圧縮機６１は、供給される空気を吸入して加圧し、窒素吸着器６２、６３に送出することが可能である。本実施形態において、空気圧縮機６１としては、窒素吸着器６２、６３内に潤滑油が混入しないように、オイルレスタイプのものが使用されている。
窒素吸着器６２、６３は、内部に、窒素吸着剤６２ａ、６３ａをそれぞれ有する容器である。窒素吸着剤６２ａ、６３ａは、加圧条件下において、空気中の窒素を吸着し、大気圧下を含む減圧下において、加圧条件で吸着した窒素を脱着する性質を有している。本実施形態において、窒素吸着剤６２ａ、６３ａは、ゼオライトからなり、窒素の他に水分を吸着する性質を有している。窒素吸着器６２、６３は、吸着器切換機構６４によって、空気圧縮機６１によって加圧された空気が通過する際に空気中の窒素を吸着してスナッバー６６に送出する吸着状態と、窒素吸着器６２、６３内を減圧することによって窒素吸着剤６２ａ、６３ａに吸着された窒素を外部に排出して窒素吸着剤６２ａ、６３ａを再生する脱着状態とが切り換え可能になっている。
【００２２】
吸着器切換機構６４は、複数の弁６４ａ〜６４ｇと、窒素吸着器６２、６３に接続された配管群とから構成されている。入口弁６４ａ、６４ｂは、空気圧縮機６１によって加圧された空気を窒素吸着器６２、６３に導入・遮断するための弁である。出口弁６４ｃ、６４ｄは、窒素吸着器６２、６３によって空気中の窒素が吸着・除去されてスナッバー６６に送出される酸素富化空気を送出・遮断するための弁である。排出弁６４ｅ、６４ｆは、窒素吸着器６２、６３を減圧することによって、窒素吸着器６２、６３の窒素吸着剤６２ａ、６３ａに吸着された窒素を脱着させて外部に排出する際に、開放する弁である。均圧弁６４ｇは、脱着後の窒素吸着器６２、６３のいずれか一方を吸着状態に変更する際に、吸着状態にある窒素吸着器６２、６３の他方を通じて、空気圧縮機６１によって加圧された空気を導入して、容器内を加圧するための弁である。吸着器切換機構６４によって、窒素吸着器６２、６３の吸着状態及び脱着状態を交互に繰り返して行い、スナッバー６６に連続的に酸素富化空気を送出することが可能になっている。
【００２３】
逆止弁６５は、出口弁６４ｃ、６４ｄとスナッバー６６との間に設けられており、スナッバー６６側から窒素吸着器６２、６３側に酸素富化空気が逆流しないようにするための弁である。
スナッバー６６は、逆止弁６５の下流側に設けられ、窒素吸着器６２、６３で得られた酸素富化空気を一時的に溜めておくための容器である。
【００２４】
減圧弁６７は、スナッバー６６に一時的に溜められた酸素富化空気を室内に減圧して送出するための弁である。本実施形態では、減圧弁６７の出口は給気管８に接続されており、酸素富化空気は給気管８を通じて室内に供給されるようになっている。
（５）空気調和装置の動作
次に、空気調和装置１の動作について、図２を用いて説明する。
【００２５】
▲１▼冷媒回路の運転
まず、冷房運転について説明する。冷房運転時は、四路切換弁２２が図２の実線で示される状態、すなわち、圧縮機２１の吐出側が室外熱交換器２４のガス側に接続され、かつ、圧縮機２１の吸入側が室内熱交換器１１のガス側に接続された状態となっている。また、液閉鎖弁２７、ガス閉鎖弁２８及び電動膨張弁２５は、開状態になっている。
【００２６】
この冷媒回路の状態で、室外冷媒ユニット４のプロペラファン２９、圧縮機２１及び室内ユニット２のクロスフローファン１２を起動すると、冷媒ガスは、圧縮機２１に吸入されて圧縮された後、四路切換弁２２を経由して室外熱交換器２４に送られて、外気と熱交換して凝縮される。この凝縮した冷媒液は、電動膨張弁２５において減圧された後、液側連絡配管３２を経由して室内ユニット２に送られる。そして、室内ユニット２に送られた冷媒液は、室内熱交換器１１で室内空気と熱交換して蒸発される。この蒸発した冷媒ガスは、ガス側連絡配管３１、四路切換弁２２及びアキュムレータ２３を経由して、再び、圧縮機２１に吸入される。このようにして、冷房運転が行われる。
【００２７】
次に、暖房運転について説明する。暖房運転時は、四路切換弁２２が図２の破線で示される状態、すなわち、圧縮機２１の吐出側が室内熱交換器１１のガス側に接続され、かつ、圧縮機２１の吸入側が室外熱交換器２４のガス側に接続された状態となっている。また、液閉鎖弁２７及びガス閉鎖弁２８は、開状態になっている。
【００２８】
この主冷媒回路の状態で、室外冷媒ユニット４のプロペラファン２９、圧縮機２１及び室内ユニット２のクロスフローファン１２を起動すると、冷媒ガスは、圧縮機２１に吸入されて圧縮された後、四路切換弁２２及びガス側連絡配管３１を経由して室内ユニット２に送られる。そして、室内ユニット２に送られた冷媒ガスは、室内熱交換器１１で室内空気と熱交換して凝縮される。この凝縮した冷媒液は、液側連絡配管３２を経由して室外冷媒ユニット４に送られる。そして、室外冷媒ユニット４に送られた冷媒液は、電動膨張弁２５で減圧された後、室外熱交換器２４で外気と熱交換して蒸発される。この蒸発した冷媒ガスは、四路切換弁２２及びアキュムレータ２３を経由して、再び、圧縮機２１に吸入される。このようにして、暖房運転が行われる。
【００２９】
▲２▼加湿ユニットの運転
以下、加湿運転を行う場合の加湿ユニット５の動作について説明する。
加湿ユニット５は、吸着ファン５５を回転駆動することによって、外部からの空気を加湿ユニットケーシング内に取り入れる。加湿ユニットケーシング内に入ってきた空気は、吸湿ロータ５１の略半分の部分５１ａを通過して、吸着ファン５５を介して加湿ユニットケーシングの外部に排出されて、酸素富化ユニット６に供給される。このとき、加湿ユニットケーシング内に外部から取り入れられた空気は、吸湿ロータ５８の略半分の部分５１ａを通過する際に、空気中に含まれている水分が吸着・除去された除湿空気になっている。
【００３０】
この吸着工程で水分を吸着した吸湿ロータ５１の略半分の部分５１ａは、吸湿ロータ５１が半回転することによって、吸湿ロータ５１の水分吸着されていない側の略半分の部分５１ｂとなる。すなわち、吸着された水分は、吸湿ロータ５１の回転に伴い、ヒータ組立体５３及び加湿ファン５４に対応する位置に移動してくる。そして、ここに移動してきた水分は、ヒータ組立体５３からの熱により、加湿ファン５４によって生成される空気流中に脱着される。
【００３１】
加湿ファン５４を回転駆動すると、外部から加湿ユニットケーシング内に空気が取り込まれ、その空気が吸湿ロータ５１の水分吸着された略半分の部分５１ｂを通過し、加湿ファン５４へと至る。加湿ファン５４は、吸湿ロータ５１を通り抜けてきた空気を給気管８を介して室内ユニット２へ送出する。この室内ユニット２へと送出される空気は、ヒータ組立体５３によって加熱されるとともに、吸湿ロータ５１に吸着されていた水分を含む加湿空気になっている。このようにして、加湿ユニット５から室内ユニット２に供給された加湿空気は、室内熱交換器１１を経て室内に吹き出される。
【００３２】
▲３▼酸素富化ユニットの運転
以下、酸素富化運転を行う場合の酸素富化ユニット６の動作について説明する。
運転前の状態は、窒素吸着器６２が吸着状態であり、窒素吸着器６３が脱着状態であるものとする。具体的には、入口弁６４ａ、出口弁６４ｃ及び排出弁６４ｆが開状態、他の弁６４ｂ、６４ｄ〜６４ｅ、６４ｇが閉状態であるものとする。
【００３３】
酸素富化ユニット６は、空気圧縮機６１を駆動することによって、吸着ファン５５から供給される除湿空気を入口弁６４ａを介して窒素吸着器６２に導入する。窒素吸着器６２に導入された除湿空気は、窒素吸着器６２内の窒素吸着剤６２ａを通過する際に、空気中の窒素が吸着されて酸素富化空気となる。そして、酸素富化空気は、出口弁６４ｃ及び逆止弁６５を介して、スナッバー６６に送出される。スナッバー６６に一時的に溜められた酸素富化空気は、減圧弁６７によって減圧された後、給気管８に送られて、室内ユニット２に供給される。ここで、窒素吸着器６２ａは、空気中の窒素だけでなく水分も吸着しやすいため、その分だけ窒素吸着剤６２ａの吸着性能が低下する傾向にある。しかし、本実施形態では、酸素富化ユニット６に供給する空気を除湿空気にしているため、窒素吸着剤６２ａの吸着性能の性能低下が生じにくくなっている。
【００３４】
次に、窒素吸着器６２を所定時間だけ吸着状態で運転した後、窒素吸着器６２を脱着状態に変更し、窒素吸着器６３を吸着状態に変更する。
具体的には、以下の手順で状態変更を行う。まず、窒素吸着器６２、６３の両塔が吸着状態になるように、排出弁６４ｆを閉状態、均圧弁６４ｇを開状態にする。すると、減圧されていた窒素吸着器６３に窒素吸着器６２側から酸素富化空気が導入されて、窒素吸着器６３内が加圧される。その後、入口弁６４ｂ及び出口弁６４ｄを開けて、窒素吸着器６２、６３から酸素富化空気がスナッバー６６に送出されるようにする。
【００３５】
次に、窒素吸着器６２の入口弁６４ａ及び出口弁６４ｃを閉状態にして、空気圧縮機６１から窒素吸着器６２への除湿空気の導入を停止する。さらに、窒素吸着器６２を脱着状態にするために、排出弁６４ｅを開放して窒素吸着器６２内を減圧し、窒素吸着剤６２ａから吸着された窒素を脱着させて外部に排出する。
以上のような窒素吸着器６２、６３間の吸着・脱着状態の切り換えを交互に行って、スナッバー６６に連続的に酸素富化空気を送出する。このようにして、酸素富化ユニット６から室内ユニット２に供給された酸素富化空気は、室内熱交換器１１を経て室内に吹き出される。
【００３６】
（６）空気調和装置の特徴
本実施形態の空気調和装置１には、以下のような特徴がある。
▲１▼空気調和装置１では、加湿ユニット５によって空気中の水分を吸着・除去して除湿空気を得た後、この除湿空気を圧力スイング吸着式の酸素富化ユニット６に供給して酸素富化空気を得て、室内に供給するようにしている。これにより、酸素富化ユニット６への水分の持ち込み量を減少させることができるため、酸素富化ユニット６を構成する窒素吸着器６２、６３の窒素吸着剤６２ａ、６３ａの水分吸着による性能低下を防ぐことができる。
【００３７】
▲２▼また、空気調和装置１では、加湿ユニット５の運転によって得られる除湿空気の有効利用にも寄与できる。
▲３▼さらに、室内の加湿及び酸素富化を同時に行うことができるため、冷暖房によって締め切られた室内空気の湿度及び酸素濃度を快適な状態に保持することができる。
【００３８】
（７）他の実施形態
以上、本発明の実施形態について図面に基づいて説明したが、具体的な構成は、これらの実施形態に限られるものではなく、発明の要旨を逸脱しない範囲で変更可能である。
▲１▼前記実施形態では、加湿装置及び酸素富化装置は、室外冷媒ユニットの上部に配置されているが、この配置に限定されるものではなく、例えば、室外冷媒ユニットの側方に配置したり、室外冷媒ユニットとは別置のユニットにしてもよい。
【００３９】
▲２▼前記実施形態では、全ての除湿空気を酸素富化ユニットに供給しているが、除湿空気の一部だけを酸素富化ユニットに供給して、残りの除湿空気を外部に排出するようにしてもよい。
▲３▼前記実施形態では、酸素富化空気供給管が酸素富化ユニット内で給気管に接続されているが、酸素富化ユニットの外部で接続されていてもよいし、加湿ユニット内で接続されていてもよい。
【００４０】
▲４▼前記実施形態では、水分吸着装置として、吸着剤の再生時に加湿空気を得て室内に供給することが可能な加湿装置を採用しているが、除湿空気を得るためだけの装置でもよい。この場合においても酸素富化ユニットに供給される空気は、除湿されているため、窒素吸着剤の性能低下を防ぐことができる。
▲５▼前記実施形態では、酸素富化空気供給管を給気管に接続して酸素富化空気と加湿空気とを混合して室内へ供給しているが、酸素富化空気供給管を単独で室内まで延長して加湿空気とは別に酸素富化空気を室内に供給してもよい。
【００４１】
▲６▼前記実施形態では、圧力スイング吸着式の酸素富化装置を採用したが、温度スイング吸着式や圧力温度スイング吸着式の酸素富化装置を吸着剤の特性や装置構成により適宜選択して採用することも可能である。
▲７▼前記実施形態では、２塔の窒素吸着器の吸着・脱着を切り換えて酸素富化を行う２塔式のユニットであったが、これに限定されず、３塔以上でもよく、また、スナッバーの容量を大きくするとともに単塔式にしたものでもよい。
【００４２】
▲８▼前記実施形態では、酸素富化ユニットの切換機構が多数の弁によって構成されているが、三方や四方切換弁のような複数の弁機能を有するものを使用して構成してもよい。
【００４３】
【発明の効果】
以上の説明に述べたように、本発明によれば、以下の効果が得られる。
請求項１及び請求項２にかかる発明では、水分吸着装置によって得られた除湿空気を窒素吸着剤を利用した酸素富化装置に供給して酸素富化空気を得て、室内に供給するようにしているため、窒素吸着剤の水分吸着による性能低下を防ぐことができる。
【００４４】
請求項３にかかる発明では、水分吸着装置が空気中の水分を吸着して除湿空気を得るとともに、吸着された水分を空気中に脱着させて加湿空気を得ることができる無給水の加湿装置であるため、加湿装置の水分吸着によって得られる除湿空気を有効利用するとともに、酸素富化装置の性能低下を防ぐことができる。
請求項４にかかる発明では、加湿装置によって得られた除湿空気を酸素富化装置に供給して酸素富化空気を得た後、加湿装置によって得られた加湿空気に混合されて、加湿空気供給流路を通じて室内に供給されるため、窒素吸着剤の水分吸着による性能低下を防ぐとともに、適正な湿度の酸素富化空気を室内に供給することができ、酸素富化空気を室内に供給するための専用の配管が不要になる。
【図面の簡単な説明】
【図１】空気調和装置の外観図。
【図２】冷媒回路の構成図、加湿ユニットの構成図及び酸素富化ユニットの構成図。
【符号の説明】
１　空気調和装置
５　加湿ユニット
６　酸素富化ユニット
５１　加湿ロータ
６１　空気圧縮機
６２、６３　窒素吸着器
６２ａ、６３ａ　窒素吸着剤
６４　吸着器切換機構
【図１】
2004077094.tif 000003
【図２】
2004077094.tif 000004